(57)【要約】【課題】従来の既知の例と比較してその特性が改善される円形コームを提供することである。【解決手段】本発明は、織物繊維を梳毛するコーミングマシンのシャフト（５）に固定できる円形コーム（２）に関し、シャフトは回転軸線（４）の周りを回転することができる。円形コームは円形コーム本体（６）を有し、これは外周側部（７）と複数のコーミングバー（９）とを備え、これは円形コーム本体（６）の外周側部（７）に配置され、これは全体的に見てコーミング円周角セグメントをカバーし、円形コーム（２）のコーミング領域を形成する。円形コーム本体（６）はマルチパートデザインで互いに直接的に接続される複数の本体セグメント（１５、１６、１７）からなり、各々のコーミングバー（９）は本体セグメント（１５、１６、１７）の１つに組み合わされ、各々のコーミングバー（９）はそれに組み合わされる本体セグメント（１５、１６、１７）に装着される。【選択図】図１
2018536778.tif 000002
【特許請求の範囲】
【請求項１】
織物繊維を梳毛するためのコーミングマシンのための円形コームであって、前記円形コームは前記コーミングマシンのシャフト（５）に装着され、前記シャフトは回転軸線（４）の周りに回転可能であり、
ａ）円形コーム本体（６、２２、４２、５９、７７、８７、９５、１１３）とともに外周側部（７）を備え、
ｂ）円形コーム本体（６、２２、４２、５９、７７、８７、９５、１１３）の外周側部（７）に配置された複数のコーミングバー（９）を、全体的に見て、コーミング円周開角セグメント（ＫＳ）をカバーし、円形コーム（２、２１、４１、５８、７６、８６、９４、１０５、１０８）のコーミング領域を形成するように備え、
ｃ）円形コーム本体（６、２２、４２、５９、７７、８７、９５、１１３）はマルチパートデザインで互いに接線方向に直接接続される複数の本体セグメント（１５〜１７、２３、４３〜４５、６０〜６２、７９、９１、９６、１１２）を有し、各々のコーミングバー（９）は本体セグメント（１５〜１７、２３、４３〜４５、６０〜６２、７９、９１、９６、１１２）のそれぞれ１つに組み合わされ、各々のコーミングバー（９）はこれに組み合わされる本体セグメント（１５〜１７、２３、４３〜４５、６０〜６２、７９、９１、９６、１１２）に装着されることを特徴とする円形コーム。
【請求項２】
前記本体セグメント（１５〜１７、２３、４３〜４５、６０〜６２、７９、９１、９６、１１２）は互いに取り外し可能に接続されていることを特徴とする請求項１記載の円形コーム。
【請求項３】
前記本体セグメント（１５〜１７、２３、４３〜４５、６０〜６２、７９、９１、９６、１１２）は、互いに接線方向に確実に接続されていることを特徴とする請求項１又は請求項２記載の円形コーム。
【請求項４】
接線方向接続を可能にするために、本体セグメント（１５、２３、６０、１１２）の少なくとも幾つかは第１の接線方向端部において接続突起（１８、２４）及び第２の接線方向端部において接続開口（１９、２５）を備え、前記接続突起（１８、２４）及び前記接続開口（１９、２５）は互いに対応しており、前記接続突起（１８、２４）は接線方向力伝達のためのアンダーカット（２０、２６）を有することを特徴とする請求項１乃至請求項３何れか１項記載の円形コーム。
【請求項５】
非装着状態において、２つの隣接する本体セグメント（１５〜１７、２３、４３〜４５、６０〜６２、７９、９１、９６、１１２）の間の接線方向接続は互いに半径方向で０．３ｍｍ、特に０．１ｍｍまでの隣接する本体セグメント（１５〜１７、２３、４３〜４５、６０〜６２、７９、９１、９６、１１２）の相対的移動を可能にすることを特徴とする請求項１乃至請求項４何れか１項記載の円形コーム。
【請求項６】
前記コーミングバー（９）が装着される総ての本体セグメント（６０）は同一のデザインであることを特徴とする請求項１乃至請求項５何れか１項記載の円形コーム。
【請求項７】
前記円形コーム本体（５９）はその２つの接線方向端部の各々にそれぞれの本体端部セグメント（６１、６２）を有し、この本体端部セグメントはコーミングバー（９）を備えておらずに前記円形コーム本体（５９）をシャフト（５）に固定する固定手段（６３〜６６）を備えていることを特徴とする請求項１乃至請求項６何れか１項記載の円形コーム。
【請求項８】
前記円形コーム本体（６、４２、７７、８７、９５）は、コーミングバー（９）が装着され円形コーム本体（６、４２、７７、８７、９５）をシャフト（５）に固定する固定手段（１６ａ、１７ａ、６５、６６、４６、４７、６５、６６、６３〜６６、８１、９２、９７）を備えるその接線方向端部の各々でそれぞれの本体端部セグメント（１６、１７、４４、４５、７９、９１、９６）を有することを特徴とする請求項１乃至請求項５何れか１項記載の円形コーム。
【請求項９】
前記本体セグメント（６０〜６２、１１２）の少なくとも幾つかはスペーサ（１０６、１０９〜１１１、１１４）を備えて半径方向の可変距離でシャフト（５）に固定されるのを可能にすることを特徴とする請求項１乃至請求項８何れか１項記載の円形コーム。
【請求項１０】
前記円形コーム本体（５９）は内周側部（８）を有し、前記スペーサは前記内周側部（８）に確実に装着され又は緩く当接する少なくとも１つのワッシャー（１０６、１０９〜１１１）として構成されていることを特徴とする請求項９記載の円形コーム。
【請求項１１】
互いに接線方向及び／又は半径方向に配置される複数のワッシャー（１０９〜１１１）は内周側部（８）に当接するように設けられることを特徴とする請求項１０記載の円形コーム。
【請求項１２】
前記ワッシャー（１０９〜１１１）の少なくとも幾つかは異なるワッシャー厚さを有することを特徴とする請求項１１記載の円形コーム。
【請求項１３】
前記円形コーム本体（１１３）は内周側部（８）を有し、前記本体セグメント（１１２）の少なくとも幾つかは内周側部（８）に固定手段（１１５、１１６、１１７）を備えてワッシャーエレメント（１１４）を固定するのを可能にすることを特徴とする請求項１乃至請求項１２何れか１項記載の円形コーム。
【請求項１４】
前記本体セグメント（１５〜１７、２３、４３〜４５、６０〜６２、７９、９１、９６、１１２）は、特に３００Ｎ／ｍｍ２までの引張強さを有するアルミニウムで作成されることを特徴とする請求項１乃至請求項１３何れか１項記載の円形コーム。
【請求項１５】
前記円形コーム本体（６、４２、５９、７７、８７、９５）は引張固定手段（１６ａ、１７ａ、６５、６６）を備えてシャフト（５）に固定されるのを可能とし、これらの引張固定手段（１６ａ、１７ａ、６５、６６、４６、４７、６５）はシャフト（５）に固定されるとき円形コーム本体（６、４２、５９、７７、８７、９５）に接線方向引張力（Ｆ１）を加えるように構成されていることを特徴とする請求項１乃至請求項１４何れか１項記載の円形コーム。
【請求項１６】
前記円形コーム本体（６、４２、５９）は内周側部（８）を有し、前記引張固定手段の少なくとも幾つかは外周側部（７）から外側に又は内周側部（８）から内側に突出する少なくとも１つの引張固定突起部（６５、６６）として構成され、特に２つの引張固定突起（６５、６６）は好ましくはそのそれぞれの１つが前記円形コーム本体（６、４２、５９）の２つの接線方向端部の１つに配置されて備えられることを特徴とする請求項１５記載の円形コーム。
【発明の詳細な説明】
【技術分野】
【０００１】
本発明は、織物繊維を梳毛するコーミングマシン（梳毛機）の円形コームに関し、円形コームはコーミングマシンのシャフトに固定されるように構成され、シャフトは回転軸線の周りに回転可能である。
【背景技術】
【０００２】
例えば、円形コーム又は丸形コームとして構成されコーミングマシンに使用されるコームは公用されていることで知られており、コーミングエレメントは織物繊維の繊維タフトに係合して梳毛される形態で円形コーム本体に配置される。コーミングエレメントが少なくともその円周の一部に沿って設けられるコームは円形コームと呼ばれる。したがって、アクティブなコーミング領域は円形コームの輪郭の円周の例えば７８度、９０度、１１１度又は１３７度とすることができる。コーミングエレメントは、例えばニードル、ニードルバー、鋸歯ワイヤー部、コーミングプロング又は特に鋸歯カットアウトとして構成することができる。これら複数のコーミングエレメントは、通常、あらかじめ組み立てられてコーミングバーを形成しており、これらは、しばしばコーミングセグメント又はコームフィッティングとも呼ばれる。したがって、このタイプのコーミングバーは複数の鋸歯カットアウト、鋸歯ワイヤー部又は歯が設けられた有歯ワッシャーを備えることができ、これらは軸線方向に互いに隣り合って、即ち回転軸線の方向に配置される。
【０００３】
良好なコーミング結果を得るためには、特にコーミングニードル又はコーミングバーの歯先の最小径方向距離をニッパユニットとの関係で達成しておくことが望ましく、ニッパユニットはコーミングマシンの一部であって梳毛（コーミング）の際に繊維タフトを保持し梳毛する。
【０００４】
これを達成するために、円形コーム本体が複数のコーミングバーを備え、その円形コーム本体を半径方向高さ調節可能にコーミングマシンのローラ本体又は保持体に固定することが特許文献１（ＣＨ  ６８３１９０  Ａ５）に記載されている。円形コーム本体はローラ本体又は保持体から半径方向に可変の距離に止めねじによって保持される。調整可能な取付によって円形コームの凹状の屈曲が生じ、したがって歯先の位置が変動する可能性がある。
【０００５】
円形コーム本体の半径方向に高さ調節可能な取付部を有する円形コームの他の例で複数のコーミングバーをコーミングマシンのシャフトに設けられているものが特許文献２（ＤＥ  ２９７２０６５６  Ｕ１）及び特許文献３（ＥＰ  ２７８９７１６  Ａ１）から知られている。
【０００６】
特許文献２に記載された実施例において、円形コーム本体とシャフトとの間にワッシャーとして構成されるスペーサエレメントが設けられている。特許文献３に記載された例において、円形コーム本体はシャフトに面する内側に凹部を有し、そこに支持エレメントが配置されてシャフト上の円形コーム本体を支持する。凹部の基部と支持エレメントとの間には交換可能なスペーサエレメントがあり、これによりシャフト上での円形コームの半径方向の位置をその厚さに応じてある程度設定することができる。
【０００７】
円形コームの歯先の正確な位置決めをしてコーミングマシンのニッパユニットに近接している既知の例の幾つかは精巧なデザインを有しており、更にはそのうち幾つかはコーミング領域内における歯先の半径方向の端部位置が互いにかなり異なっている。
【先行技術文献】
【特許文献】
【０００８】
【特許文献１】ＣＨ  ６８３１９０  Ａ５
【特許文献２】ＤＥ  ２９７２０６５６  Ｕ１
【特許文献３】ＥＰ  ２７８９７１６  Ａ１
【発明の概要】
【発明が解決しようとする課題】
【０００９】
本発明の目的は、従来の既知の例と比較してその特性が改善される上記タイプの円形コームを提供することである。
【課題を解決するための手段】
【００１０】
この目的を達成するために、特許請求の範囲請求項１の特長に対応する円形コームが提供される。本発明に係る円形コームは、外周側部の円形コーム本体と、円形コーム本体の外周側部に配置される複数のコーミングバーとを備え、コーミングバーは全体としてコーミング円周方向開角セグメントをカバーして円形コームのコーミング領域が形成される形態とされており、円形コーム本体はマルチパートデザインを有し接線方向に互いに直接接続される複数の本体セグメントを備え、コーミングバーの各々は本体セグメントの１つに組み合わされ各コーミングバーはそれに組み合わされる本体セグメントに特に直接装着される。
【００１１】
各コーミングバーは、本体セグメントと共に、特にサブユニットを形成する。特に互いに接線方向に配置され、それらのうちの幾つかが特に直接コーミングバーを担持する本体セグメントは特に固定バーと解釈され又は称することができる。特にコーミングバーと少なくとも同じ本体セグメントにコーミング円周方向開角セグメントが存在し、これは特に最大でも１５０度の接線方向の開角領域にわたって、互いに接線方向に配置される合計６つのコーミングバーを備える実施例において例えば約１３７度の接線方向の開角領域にわたって、後方に互いに接線方向に配置される合計５つのコーミングバーを備える実施例において例えば約１１１度の接線方向の開角領域にわたって、互いに接線方向に配置される合計４つのコーミングバーを備える実施例において例えば約９０度の接線方向の開角領域にわたって延在している。
【００１２】
本体セグメントは、例えばチェーンリンクの形態で互いに接続することができる。さらに、接線方向に隣接する本体セグメントの間には直接接線方向接続が存在し、即ち有利なことには、それらの間には他の接続手段を設ける必要はない。
【００１３】
円形コーム本体は、特に中空円筒の円周方向セグメントの基本形状を実質的に有し、中空円筒の円筒軸線は、特に回転軸線と一致する円形コーム本体の長手方向中心軸線である。
【００１４】
ここで使用される位置又は方向の表示は、特にシャフトの回転軸線又はこの回転軸線によって規定される円筒状の座標系を指す。この点において、用語「軸線方向」は、回転軸線方向における配向を指し、「半径方向」という用語は、回転軸線に垂直な方向における配向を指し、用語「接線方向」は回転軸線周りにおける配向を指す。
【００１５】
円形本体の接線方向にセグメント化されたデザインにより個別の本体セグメントを、以前に使用された従来技術の一体型円形コーム本体に比べて、非常に簡単にさらにより正確に製造することができることが分かった。一体型の円形コーム本体における所定の径方向寸法からの僅かな逸脱又は僅かな捩れのような局所的に詳細に規定される生産不正確性は、コーミングマシン内に円形コーム本体をコーミングバーを備えて生産不正確性の位置だけでなく、事実上コーミング領域内のどこにでも装着するとき、歯先の位置決め精度に悪影響を及ぼすことがある。最悪の場合、この悪影響は、レバレッジ効果に因る実際の欠陥よりもその欠陥から遠い位置でさらに大きくなることさえある。したがって、公知の一体型円形コーム本体において、非常に高い製造精度を達成するためにかなりの努力が払われなければならない。それでも、上述した歯先の位置決め精度への悪影響は、従来技術の一体型円形コーム本体では完全に避けることができない。
【００１６】
これとは対照的に、本発明による円形コームの本体セグメントは、その小さなサイズのために必要な精度ではるかに容易に製造することができる。さらに、セグメント化されたデザインは、局所的に限定される不正確さがコーミング領域全体における歯先の位置決め精度に影響するのを防止する。その誤差伝搬はセグメント境界で停止される。
【００１７】
さらに、その小さなサイズのために、本発明による円形コームの本体セグメントは、従来技術のより大きな一体型円形コーム本体よりもはるかに容易に高い精度でシャフトに装着することができる。円形コームの下部接触面は装着される状態において対応するカウンタ部に当接し、これは例えばシャフト上に直接設けられ（即ち、円形コームの直接的取付）又はその間に配置されるシャフト装着体（円形コームの間接的取付）上に設けられ、好ましくはセグメントに分割される。セグメントに分割される本発明による円形コームの下部接触面のより小さい部分接触面はそれぞれ従来技術の一体型円形コーム本体のより大きな一体型接触面よりもより大きな精度で上記の対応するカウンタ部に取付け又は装着できる。本体セグメントの各々は、その下側部分接触面でシャフト又はシャフト装着体に密着して嵌合し、それによりそれぞれのコーミングバーの歯先が所望の半径方向位置（＝コーミング半径）に配置されることを保証する。
【００１８】
さらに、個別の本体セグメントの下側部分接触面に作用する接触力は、円形コームの取付状態において実質的に等しい。その結果、本体セグメントの成形部分、したがって本体全体に発生する内部応力が最小限に低減され、それでシャフト又はシャフト装着体上に密着して嵌合する形態で本体セグメントがカウンタ接触面と整列することが可能になる。
【００１９】
その結果、セグメント化されたデザインのために、本発明による円形コームはコーミングマシンのシャフトに直接的又は間接的に装着することができ、そのためにはコーミングバーの歯先が特に何処でも正確な半径位置に配置され、特に望ましくはコーミングマシンのニッパユニットからの半径方向の距離を有する形態とされている。
【００２０】
本体セグメントの接線方向の接続が有利であり、何故なら最終的に組み立てられた状態で隣接するコーミングバーの間における望ましくない接線方向の間隙又は間隔を防止できるからである。したがって、コーミング効果は意図したままである。特に、セグメント境界でのコーミング効果の望ましくない変動又は中断さえも防止される。
【００２１】
特に、コーミングバー及び本体セグメントは、有利とするためには円形コームをコーミングマシンに設置する前に予め組み立てることができる。これで本体セグメントに装着されるコーミングバー及びそれぞれの本体セグメントは、特に円形コームの予め組み立てられたサブユニットを形成する。この事前組み立ては、コーミングマシンの部位での円形コームの最終的な組み立てを容易にする。
【００２２】
また、円形コーム本体の分割デザインにより円形コームの収納や搬送に必要なスペースが削減され、本体セグメントを未装着状態で密着して積み重ねることができ、このように小型梱包も可能となる。したがって、本発明による円形コームはまた搬送上の努力を少なくできることをもたらす。
【００２３】
さらに、本体セグメント及び単一のコーミングバーから成るサブユニットは、特にその構造容積が小さいため、従来の円形コーム本体及びその上に配置されるすべてのコーミングバーからなる全体的な円形コームよりも、組み立てが（部分的に）遙かに容易である。次いで、（部分的に）組み立てられたサブユニットは、コーミングマシン内に設置されているときに現場で本発明による円形コーム全体を形成するように組み立てられる。この有利な部分組立は、円形コーム本体のセグメント化されたデザインによってのみ可能となる。
【００２４】
さらに、円形コーム本体のセグメント化されたデザインのために、特に特別な工具又は特別な取外し装置を必要とせずに、コーミングマシンに設置される本発明による円形コームの単一のコーミングバーのみを容易に交換することができる。これは今まで可能ではなかった。この交換は、すべてのコーミングバーを含む円形コーム全体を取り除くことによってのみ実行することができた。本発明による円形コームは、特定のサブユニットのみをそれぞれのコーミングバーとともに取り外して新しいサブユニットで置き換えることができるように構成されている。新しいサブユニットは、例えば交換されたサブユニットの不良又は磨耗したコームバーを修復するために設置することができる。別法として、異なるコーミング特性を有するコーミングバーを備えたサブユニットを設置して、円形コーム全体の嵌合及びコーミング挙動をコーミングマシンの新しい動作状況に適合させることも考えられる。
【００２５】
本発明による円形コームはセグメント化された円形コーム本体とともに一体型の円形コーム本体を有する従来技術の円形コームよりも多くの利点を有する。
【００２６】
本発明による円形コームはセグメント化された円形コーム本体とともに既存のコーミングマシンに容易に後から装着することができ、ユーザーにとっては古いコーミングマシンでも上述した本発明による円形コームの利点を享受することができる。
【００２７】
本発明による円形コームの有利な実施例は、請求項１に従属する請求項の特長から明らかになる。
【００２８】
有利な実施例において、本体セグメントは互いに着脱可能に接続される。これにより、組み立てが容易になり、使用の自由度が増大する。
【００２９】
別の有利な実施例によれば、本体セグメントは特に少なくとも接線方向に互いに確実に接続される。これは、本体セグメント間で円形コーム本体内において全体としてこの方向における力の良好な伝達を確実にする。
【００３０】
別の有利な実施例によれば、本体セグメントの少なくとも幾つかは、第１の接線方向端部に接続突起、第２の接線方向端部に接続開口を備えて接線方向接続を可能にし、接続突起と接続開口は互いに対応しており、接続突起は接線方向の力の伝達を可能にするアンダーカットを有する。アンダーカットを備えた接続突起は、特に接線方向のウェブ端部にダブテール又は円形の軸線方向断面を有するウェブとして構成することができ、上記ウェブは、好ましくはそれぞれの本体セグメントと一体型に形成される構成部品である。この幾何学的形状は、本体セグメント間で円形コーム本体内において全体としてこの接線方向の力の良好な伝達を確実にする。
【００３１】
別の有利な実施例によれば、未装着状態の２つの隣接する本体セグメント間の接線方向接続により、隣接する本体セグメントの互いに相対的な移動を半径方向に０．３ｍｍまで、特に０．１ｍｍまで可能にする。円形コームをコーミングマシンに装着するとき、隣接する２つの本体セグメントの間の接線方向接続のこの半径方向の遊びは、シャフト又はシャフト装着体のカウンタ接触面上で各々の本体セグメントの個別の位置決めのために、或る程度の自由度を可能にする。特に、半径方向の位置は１つの本体セグメントから次の本体セグメントに僅かに変更することができる。したがって、有利なことに、本体セグメントはシャフト又はシャフト装着体のカウンタ接触面に確実に嵌合し、これはコーミングバーの歯先の半径方向位置に好ましい効果をもたらす。
【００３２】
別の有利な実施例によれば、コーミングバーが装着される全ての本体セグメントは同一にデザインされ、その結果として製造コストが低減される。本体セグメントにはただ１つの単一の金型が必要である。そもそも当該本体セグメントは、コーミングバーの歯先の半径方向位置、したがってコーミング半径に最大の影響を及ぼし、したがって金型コストが低く低減されて高精度で製造されるべきものである。
【００３３】
別の有利な実施例によれば、円形コーム本体は、その２つの接線方向端部の夫々に、コーミングバーが設けられていない本体端部セグメントを有し、当該本体端部セグメントは固定手段を備えて円形コーム本体をシャフトに固定する。最初に本体を装着するために必要とされる２つの本体端部セグメントを製造するとき、特に半径方向寸法の精度及びその下部の部分接触面の形状精度に注意を払う必要がなく、円形コームの組立て最終状態においてシャフト又はシャフト装着体に当接するように配置される。これは製造コストを低くする。
【００３４】
別の有利な実施例によれば、円形コーム本体はコーミングバーが装着される２つの接線方向端部の夫々に本体端部セグメントを有し、本体をシャフトに固定する固定手段を備えている。この実施例において、円形コーム本体は特に軽量で有利な低質量慣性を有するようにデザインすることができる。
【００３５】
別の有利な実施例によれば、本体セグメントの少なくとも幾つかは半径方向に可変距離でシャフトに装着されるスペーサを備えている。本発明による円形コームにこのタイプのスペーサを設置し、組み立てられた最終状態において所望のコーミング半径を得ることは絶対的に必要ではないが、その状況が設置又は組立中に発生し、そこでは特に上述のスペーサとして構成され半径方向の高さ調整を行うことを可能にする追加措置はそれにもかかわらず有用である。この種の状況は、例えば特にコーミング品質を向上させるという観点から、既存のコーミングマシンを改装することである。これを達成するためには、コーミングマシンの歯先とニッパユニットとの間の距離を減少させることが有用であり、これはスペーサによって行うことができる。
【００３６】
別の有利な実施例によれば、円形コーム本体は内周側部を有し、スペーサは固定されているが特に取り外し可能な態様で内周側部に装着され又は当接する少なくとも１つのワッシャーとして構成される。ワッシャーは、特に薄く、好ましくは折り曲げ可能なシートプレートである。可能性のある代替的な実施例において、ワッシャーは接線方向延長部を有し、これは最大限でも特にそれが当接する本体セグメントの延長部に等しい。一方、別の好ましい代替的な実施例において、ワッシャーは本体セグメントの各々より大きな接線方向の延長部を有する。ワッシャーは、特に２つ以上の本体セグメントにわたって延長してもよいが、極端な場合には、総ての本体セグメントにわたって延長してもよい。ワッシャーによる半径方向の高さ調節は、本発明による円形コームにおいて特に良好に機能し、特に一体型の円形コーム本体を有する円形コームよりも良好に機能する。ここでも、これはセグメント化されたデザインに因るものである。通常、シャフト又はシャフト装着体のカウンタ接触面の外径と、円形コーム本体の下部接触面の内径とは互いに一致している。シャフト又はシャフト装着体は円筒状のセグメントであることが多く、少なくとも実質的に中空円筒状の円筒状セグメントの形状である。この外径及びこの内径は同一又は少なくともほぼ同一のサイズを有することが多い。高さ調整のためにカウンタ接触面と下部接触面との間にワッシャーが配置されると、互いに接触するように構成される円筒状形状は完全に嵌合しなくなる。この例におけるように、ワッシャーを円形コームに組み合わせると、円形コームの内周側部の内径が小さくなり、一体型の円形コーム本体を備える円形コームはカウンタ接触面全体と密接に接触することはない。最悪の場合、円形コームの２つの接線方向端部には２つの狭隘な接触領域しか存在しない。これらの２つの接触領域の間では、一体型の円形コーム本体はそれと接触していない。一方、セグメント化された円形コーム本体を含む本発明による円形コームにおいて、ワッシャーを挿入することによって生じる接触不良挙動が回避される。接線方向におけるそれらのかなり短い延長部に因り、個別の本体セグメントはカウンタ接触面と実質的に完全に面接触する。これはワッシャーがその間に配置されている場合である。さらに、円形コーム本体のセグメント化されたデザインは、ニッパユニットからのそれぞれのコーミングバーの歯先の半径方向の距離を総てのコーミングバーについて個別に調節することを可能にし、この場合所望のワッシャー厚さを有するワッシャーはそれぞれの本体セグメントの下にのみ配置される形態で行なわれる。上述したように特定のコーミングバーの距離を調整することは一体型の円形コーム本体では不可能である。
【００３７】
別の有利な実施例によれば、互いに接線方向及び／又は半径方向に配置される複数のワッシャーが内周側部に当接するように設けられる。さらに、少なくとも幾つかのワッシャーが異なるワッシャー厚さを有することが考えられる。特に、個別の本体セグメントは異なるワッシャーを設けることができる。好ましくは、ワッシャーを本体セグメントの１つの接線方向端部の１つの下にのみ配置することも考えられる。次いで、それぞれの本体セグメントは、湾曲したカウンタ接触面又はシャフト又はシャフト装着面と斜めに接触する。このようにして、ニッパユニットから歯先までの距離（＝ニッパ距離）を柔軟に、好ましくはたとえ接線方向（＝コーミング方向）に不均等でも調整することが可能である。ニッパ距離は、ウェッジの形状を増減させるように又はウェッジの形状を最初に増加させ、次いでウェッジの形状を減少させるように構成することができる。
【００３８】
別の有利な実施例によれば、円形コーム本体は内周側部を有し、本体セグメントの少なくとも幾つかはその内周側部に、ワッシャーエレメントを特に着脱可能に固定する固定手段が備えられる。これは、ニッパ距離を、特に個別のコーミングバーについて個別に調整することを可能にするもう１つの措置である。さらに、ワッシャーエレメントを固定することによって、ワッシャーエレメントが保管中又は運搬中に紛失すること及び／又は組立中にその位置を変えることから防止される。後者は、望ましくない基本状況及び可能性として、元々意図されたものよりも少なくとも局所的に異なるニッパ距離をもたらすことになる。固定手段は、特にクリップとして構成することができる。しかしながら、他の構成も同様に考えられる。
【００３９】
別の有利な実施例によれば、本体セグメントは、特に３１０Ｎ／ｍｍ２までの引張強さを有するアルミニウムで作成される。本体セグメントは従来技術の一体型円形コーム本体よりも小さい寸法を有するので、製造に使用される押出成形型もまたより小さい。したがって、特に上記の値までのより高い引張強さを有する材料を使用することが有利なことに可能である。特に高い引張強さを有する材料を使用してその機械的特性に影響を及ぼす危険なしに、特に小型及び／又は軽量の本体セグメントを製造することができる。本体セグメントは、特に押出成形され、好ましくは押出形材として構成されている。押出方法の精度、即ち寸法精度は特に非常に優れているので、距離に対して枢要な意味を持つ位置、換言すればコーミングマシンのシャフトから及び／又はニッパユニットからの本体セグメント上に配置されるコーミングバーの半径方向の距離を規定する当該位置の再加工は必要ではない。したがって、好ましくは押出成形されるアルミニウムエレメントとして構成される本体セグメントは設置される準備ができており、追加の再加工を必要としない。
【００４０】
別の有利な実施例によれば、円形コーム本体はシャフトに固定されることを可能にする引張固定手段を備え、これらの引張固定手段はシャフトに固定されるときに接線方向引張力を円形コーム本体に加えるように構成される。引張力又は引張荷重が円形コームに加えられた場合に、シャフトに固定されるとき、円形コームは、コーミング領域全体にわたるコーミングバーのすべての歯先について、デザイン仕様に適合する特に的確な、特に実質的に正確な半径方向位置を確保するように装着することができる。シャフトに直接又は間接的に固定されたときに、円形コーム本体に適用される。接線方向引張力は、円形コーム本体がシャフト又はシャフト装着体のカウンタ接触面に押圧することを確実にするために極めて重要である。このカウンタ接触面は装着面としても称することができる。ベースとして見た円形コーム構造と比較して、より正確で均一で、少なくとも半径方向に最も遠位に突出する歯先の位置を正確にするほど、コーミングバーは梳毛される織物繊維を保持するコーミングマシンのニッパユニットにより接近して位置決めされ、コーミング結果をより良好に達成することができる。例えば加工工程の１つ又はその直径がわずか±２％の僅かな公差又は不正確さを有して、本体セグメントが依然として僅かに捩られ又は反っているとしても、これは有利なことに円形コームの組み立てられた最終状態においてコーミングバーの歯先の半径方向位置に悪影響を与えない。このような捩れ又は反り並びに直径公差は、円形コーム本体、したがって個別の本体セグメントに加えられる引張力によって補償することができる。本体セグメント間の接線方向接続のために、円形コーム本体に加えられる接線方向の引張力又は引張荷重は総ての本体セグメントに均等に作用し、上述した有利な効果が総ての単一の本体セグメントについて達成される形態となる。したがって、本体セグメントを製造する際に必要とされる費用を削減することができる。ある種の生産誤差は、円形コームを装着する際に接線方向の張力を加えることによって、後で補償することさえできる。したがって、本体セグメントを低コストで製造することができる。
【００４１】
別の有利な実施例によれば、円形コーム本体は内周側部を有し、引張固定手段は、少なくとも１つの引張固定突起が内周側部上で内側、即ち回転軸線方向に突出（特に半径方向に）して配置されるように、又は少なくとも１つの引張固定突起が外周側部上で外側に突出（特に半径方向に）して配置されるように、少なくとも部分的に構成され、後者は特にアンダーカットを備え、特に２つの引張固定突起が設けられ、そのうちの１つは好ましくは円形コーム本体の２つの接線方向端部のうちの１つの上に配置される。このタイプの引張固定用突起は、簡単な形態で円形コーム本体に引張荷重を加えることを可能にする。好ましくは、引張固定突起は半径方向に対してある開角で配置された接触面を有することができ、したがって、加えられる引張荷重は接線方向成分及び半径方向内側に向いた方向成分も有する。
【００４２】
別の有利な実施例によれば、固定手段は少なくとも１つの固定接触面及び当該固定接触面に直交する面として少なくとも部分的に構成され、特に円錐面として、好ましくは円錐孔の内周面として構成され、回転軸線に対して半径方向に関し、また回転軸線に対して接線方向に関し傾斜又は傾斜している。特に、固定接触面に直交する面は、半径方向及び接線方向のそれぞれと１つの開角を形成し、上記開角は、０度より大きく９０度より小さく好ましくは少なくとも１５度、最大７５度である。このタイプの傾斜した固定接触面は簡単な形態で円形コーム本体に引張荷重を加えることを可能にする。
【００４３】
特に、固定手段の少なくとも幾つかはその２つの接線方向端部領域の少なくとも１つにおいて円形コーム本体内に半径方向の貫通孔として構成することもでき、貫通孔の少なくとも幾つかは外周側部に向かって円錐状に広がる円錐座部として構成され引張固定ねじの円錐ねじ頭を受け入れる断面積を有し、その結果、引張固定ねじが装着されるとき、接線方向引張力は有利には円形コーム本体に再度加えられる。各貫通孔は実質的に半径方向に延在する貫通孔の長手方向軸線を有する。
【００４４】
別の有利な実施例によれば、固定手段の少なくとも幾つかは引張固定ねじをねじ止めできる本体ねじ穴として構成され、上記本体ねじ穴は円形コーム本体の２つの接線方向端部の少なくとも１つの半径方向境界面から特に盲穴の形の円形コーム本体中に延在している。このタイプの本体ねじ孔は引張荷重を円形コーム本体に単純な形態で加える。
【００４５】
別の有利な実施例によれば、固定手段の少なくとも幾つかは円形コーム本体の２つの接線方向端部の１つに形成された少なくとも１つの受けラグとして構成され、受けラグは回転軸線方向に延在する突起貫通孔を有し、回転可能な偏心クランピングロッドを当該突起貫通孔内に取り外し可能に挿入することができる。このタイプの受けラグは多額の費用を必要とせずに円形コーム本体に装着することができる。偏心機構のエレメントで構成することにより、引張力を簡単な形態で円形コーム本体に加えることができる。
【００４６】
別の有利な実施例によれば、２つの外側接触ストリップが回転軸線方向に延在し、回転軸線に関して互いに接線方向に離間してコーミングバーが組み合わされる本体セグメントの各々の外周側部に設けられ、当該外側接触ストリップはそれぞれのコーミングバーが当接するコンバービングバー接触面を形成する。さらに、内側接触ストリップが回転軸線方向に延在し、回転軸線に関して半径方向内側に突出し、回転軸線に関して互いに接線方向に離間してこれらの本体セグメントの各々の内周側部に設けられ、当該内側接触ストリップはそれぞれの本体セグメントの唯一のシャフト装着接触面を形成し、シャフトに直接的又は間接的に接触するか又は接続する。外側接触ストリップの少なくとも幾つかは内側接触ストリップのそれぞれの１つに組み合わされて、それらと１対のストリップを形成する。さらに、対のストリップの各々の外側接触ストリップ及び内側接触ストリップはそれらの接線方向延長部において少なくとも部分的に重なり合っており、少なくとも２対のストリップはコーミングバーが組み合わされる各本体セグメントに対して設けられている。特に正確な半径方向位置を保証するように円形コームは装着することができ、このことはこれらの対の接触面が半径方向に互いに反対に配置されている場合にはコーミング領域全体におけるコーミングバーの全ての歯先のデザイン要求に実質的に合致し、少なくとも部分的に互いに一致する接線方向位置及び／又は位置領域を有する接触面が本体セグメントの内周側部と外周側部の両方に設けられている。従来技術の円形コームのデザインと比較して、半径方向に最大の延長部を有する少なくともこれらの歯先のより正確で一様で位置的に正確な位置であれば、梳毛される織物繊維を保持するニッパユニットからのコーミングバーの最少距離を小さくすることができ、結果として梳毛結果が改善されることをもたらす。
【００４７】
コーミングバーは、特に本体セグメントの外周側部で外側接触ストリップによって形成される接触面と直接接触している。したがって、これらの接触面はコーミングバー接触面とも呼ばれる。
【００４８】
内周側部上には、接触面が、特に回転軸線方向に突出する内側接触ストリップによって形成される。したがって、内側接触ストリップは、特に内側に突出する突起として構成されている。少なくともコーミング領域において、これらの内側接触ストリップは円形コーム本体の内周側部上で唯一及び／又は特に単独の接触面であり、本体セグメントをシャフトに装着するためのものである。円形コーム本体は、これらのシャフト装着接触面を用いて、シャフトと直接接触し又はシャフトに間接的に接続することができる。これらのことはそれらの間に配置された少なくとも１つの追加の装着エレメント、例えばシャフト装着体、特に保持フランジ又は保持体によって行なわれる。シャフト装着接触面を除いて、一方では円形コーム本体と他方ではシャフト又は追加の装着エレメントとの間には、少なくともコーミング領域において、それ以上の接触はない。したがって、隣接する２つの内側接触ストリップの間の接線方向隙間は、特に接触していない。
【００４９】
一対のストリップの外側接触ストリップ及び内側接触ストリップは、好ましくは互いに半径方向に反対に配置される。外側接触ストリップは、特に少なくとも１つの外側接触ストリップ部分領域を有し、その接線方向位置及び延長部は内側接触ストリップの少なくとも１つの内側接触ストリップ部分領域の接線方向位置及び延長部と一致する。一対のストリップの外側接触ストリップ及び内側接触ストリップのこれらの接線方向に重なる部分領域は、互いに半径方向に反対に配置される。
【００５０】
コーミングバーが組み合わされる各本体セグメントには、このタイプのストリップの少なくとも２対、特に２対から１０対、好ましくは２対から５対が設けられる。これらの本体セグメントは、少なくとも２つの部分的領域を特に半径方向において内周側部と外周側部との間で連続的（無破断）構成材接続部とともに有している。それぞれの本体セグメントとこれに組み合わされるコーミングバーの、これらの部分領域は構成材接続部とともに特に半径方向に連続しており、内周側部及び外周側部で、外側内側接触ストリップ及び内側接触ストリップによって形成される接触面に延びている。これらの接触面はシャフトの方向に指向されている。したがって、シャフトからの半径方向の接続間隔は、互いに接線方向に離隔される少なくとも２つの位置において、各コーミングバーに対して非常に正確に形成される。この接続間隔は、最初に特に外側ストリップ及び内側接触ストリップ上の接触面間の半径方向の距離によって決定される。したがって、接続間隔は外側ストリップ及び内側接触ストリップを製造するとき本体セグメントの製造の間に早期に設定することができる。仮令本体セグメントが製造工程の１つの間で生起される僅かな機械的捩れ又は反りを依然として有し又はそれらの直径に又はその直径が例えば±２％までの僅かな公差又は不正確さを有する場合でも、これは円形コームの組み立てられる最終状態においてコーミングバーの歯先の半径方向位置に有利なことに悪影響を及ぼすものではない。そのような捩れ又は反りは、直径公差のように、内部接触ストリップによる装着面の唯一の局所的又は単一接触のために補償することができる。捩じれ又は反りのこの有利な補償及び／又は直径公差の補償は円形コーム本体の本体セグメントがシャフトに間接的又は直接的に装着されるとき適切な、好ましくは接線方向張力にさらされる形態で特に達成される。これにより、本体セグメントを製造するのに必要な費用も削減することができる。円形コームを装着する際には、或る生産上の不正確さが後で補償されることもある。したがって、本体セグメントを低コストで製造することができる。
【００５１】
外側接触ストリップ及び内側接触ストリップが同じ構成部品、即ちそれぞれの本体セグメントに取付けられているので、適切な措置が本体セグメントの製造中に早期に取られて、対のストリップの各々の外側接触ストリップ及び内側接触ストリップの接線方向位置／延長部が一致するのを確実にすることができる。この段階では、達成できる非常に高い位置精度とは対照的に、これを行うために必要な費用は非常に低額である。これとは対照的に、互いに組み合わされる外側接触ストリップ及び内側接触ストリップが異なる構成部品に配置される場合に、必要な費用は遙かに高額になり、このことは一般的に可能であるものの、それらの接線方向位置／延長部は、後で例えば本体セグメントをシャフトに装着するまで互いに一致させることができないという問題をもたらす。
【００５２】
別の有利な実施例において、丁度２対のストリップはコーミングバーが組み合わされる各本体セグメントに対して提供される。これにより、各コーミングバーのためにシャフト上に機械的に形成される装着及び支持するのを確実にする。さらに、このタイプの本体セグメントは、特に低いコストで製造することができ、何故なら高精度の要求に準拠する必要があるのは２つの寸法だけであるからである。
【００５３】
別の有利な実施例によれば、複数対のエッジストリップとして構成される２対のストリップはコーミングバーが組み合わされる各本体セグメントに対して設けられ、複数対のエッジストリップの各々に対して、それぞれの本体セグメントの接線方向セグメントエッジからの接線方向距離エッジは、特に２対のエッジストリップの間の接線方向距離よりも小さい。その結果、各コーミングバーは機械的に特に安定した態様でシャフトに装着され、支持される。さらに、複数対のエッジストリップは各々の場合に特にバーの接線方向エッジ上に正確に配置してもよく、換言すればそれらはバーの接線方向エッジに直接隣接してもよい。
【００５４】
別の有利な実施例によれば、複数対のストリップの少なくとも１つの外側接触ストリップと内側接触ストリップは各々の場合に同じ接線方向位置に配置され、同一の接線方向延長部を有する。これらの好ましい複数対のストリップの場合、外側接触ストリップ及び内側接触ストリップ並びにそれぞれの本体セグメントの外側円周面及び内側円周面に形成される接触面は互いにまさに半径方向に反対にされており、その結果、この本体セグメントに組み合わされるコーミングバーは、特に効率的にシャフトに装着され支持される。反対側の円周面にカウンタ部を有さない部分接触表面領域は存在しない。
【００５５】
別の有利な実施例によれば、内側接触ストリップの突出部は、回転軸線に垂直に測定して、半径方向突出高さが０．２５ｍｍ〜５ｍｍ、特に０．５ｍｍ〜２ｍｍである。一方では、この高さは例えば適当な引張荷重を与えることによって、組み立て中に補うべきそれぞれの本体セグメントの可能性のある機械的捻れ又は反り又は直径公差を補償するのに十分である。しかしながら、他方では、これは機械的不安定性が生じるほどの量ではない。
【００５６】
別の有利な実施例によれば、内側接触ストリップの突起部は、回転軸線に垂直に測定して、半径方向の突出高さが０．２５ｍｍ〜３５ｍｍ、特に０．５ｍｍ〜２５ｍｍである。この構成において、装着された本体セグメントは、特にシャフトと直接接触しており、この場合に好ましくは比較的大きな半径方向延長部を有し、特に回転軸線からの歯先の半径方向距離のために規定される仕様に合致する。したがって、突出高さは、例えば１０ｍｍより大きく、特に数１０ｍｍまでのより大きな値にもなり得る。
【００５７】
さらに、本発明は、特に織物繊維を梳毛するコーミングマシンのための円形コームユニットにも関し、この円形コームユニットは回転軸線の周りに回転可能なシャフトと、上述された本発明によるシャフトに固定される円形コームとを備え、上述された本発明によるこの円形コームの有利な実施例の１つである。本発明による円形コーム又はその有利な実施例の１つをシャフトに固定するために、円形コームユニットは円形コーム本体の内周側部が当接する少なくとも１つの装着面を有し、当該装着面は回転軸線に対して同心に配置されている。
【００５８】
装着面は、特に円筒状セグメントの形状である円滑面（即ち、表面構造を備えていない）であって、特に突起又は凹部を備えていない。それは特にシャフトの一部であってもよいし、又は特にシャフトと円形コーム本体との間に少なくとも部分的に配置された固定機構の一部であってもよい。したがって、円形コーム本体は、特に間接的又は直接的にシャフトに固定されてもよい。さらに、円筒状セグメント形状装着面が回転軸線に対して高い同心性及び／又は回転対称性を有することが有利である。特に、装着面はＤＩＮ  ＩＳＯ  ２８６−１：１９９０−１１に準拠し又はそのフォローアップ版ＥＮ  ＩＳＯ  ２８６−１：２０１０−１１に準拠し標準公差グレードＩＴ７に適合している。
【００５９】
別の実施例によれば、装着面は表面構造を備える面であってもよく、この面は特に追加の突起及び／又は凹部が設けられる基本的円筒状セグメント形状を有する。
【００６０】
本発明による円形コームユニットは本発明による円形コーム及びこの有利な実施例に関して既に説明したのと実質的に同じ利点を有する。
【００６１】
本発明の他の特徴、利点及び詳細は、幾つかの実施例について以下の説明から図面を参照することで明らかになる。
【図面の簡単な説明】
【００６２】
【図１】図１は、コーミングマシンの接線方向クランピングによってシャフトに固定される円形コームとともに円形コームユニットの実施例の軸線方向前端部平面図を示す。
【図２】図２は、セグメント化された円形コーム本体とともに円形コームの代替実施例の軸線方向前端部断面平面図を示す。
【図３】図３は、コーミングマシンの円形コームユニットの円形コームの別の実施例の軸線方向前端部平面図を示し、円形コームは接線方向クランピングによってシャフトに固定するように構成されている。
【図４】図４は、セグメント化された円形コーム本体を含む円形コームとともにコーミングマシンの円形コームユニットの別の実施例の軸線方向前端部平面図を示し、円形コームは接線方向クランピングによってシャフトに固定されている。
【図５】図５は、接線方向クランピングによって円形コームをシャフトに固定するために設けられる引張ねじ固定ブロックを含む別の固定機構の実施例の軸線方向前端部断面平面図を示す。
【図６】図６は、接線方向クランピングによって円形コームをシャフトに固定するために設けられる円錐形ヘッドねじ装着を含む別の固定機構の実施例の軸線方向前端部断面平面
【図７】図７は、接線方向クランピングによって円形コームをシャフトに固定するために設けられる偏心機構を備える別の固定機構の実施例の軸線方向前端部断面平面図を示す。
【図８】図８は、コーミングマシンの接線方向クランピングによって円形コームをシャフトに固定される円形コームとともに円形コームユニットの別の実施例の軸線方向前端部平面図を示し、円形コームはセグメント化された円形コーム本体及びワッシャーを備える。
【図９】図９は、接線方向クランピングによってシャフトに固定される円形コームとともにコーミングマシンの別の実施例の軸線方向前端部平面図を示し、円形コームはセグメント化された円形コーム本体及び複数のワッシャーを備える。
【図１０】図１０は、取付けられるワッシャーエレメントとともにセグメント化された円形コーム本体の本体セグメントの代替実施例の軸線方向前端部平面図を示す。
【発明を実施するための形態】
【００６３】
以下、本発明の実施例について図面を参照して説明する。相互に対応する構成部品は、図１〜図４にわたって同じ参照番号を付してある。以下の段落でより詳細に説明される実施例の詳細はそれ自体本発明を表しており、又は本発明の対象事項の一部である。
【００６４】
図１において、織物繊維を梳毛するためのコーミングマシンの円形コームユニット１の第１の実施例が示されている。円形コームユニット１は、円形コーム２と、固定機構３と、回転軸線４の周りに回転可能なシャフト５とを備えている。回転軸線４は、特に円形コームユニットの長手方向中心軸線として解釈される。円筒座標系が回転軸線４に関連して定義され、当該円筒座標系は回転軸線４に沿って配向される軸線方向ｚと、軸線４に対して距離方向に配向された方向ｒと、回転軸線４の周りに円周方向に延びる接線方向φとを有する。円形コーム２は、固定機構３によって回転シャフト５に固定されている。円形コーム２は、円形コーム本体６に外周側部７及び内周側部８を有するものと、複数のコーミングバー９とを備え、コーミングバー９は図示された実施例では合計５個が外周側部７に配置され、コーミングバー９は梳毛（コーミング）形態で織物繊維の繊維タフトに係合するよう意図されているコーミング歯１０を含む。コーミングバー９は別異に構成することができる。特に、コーミングバー９のコーミング歯１０は異なる形状及び距離を有してもよく、異なる数で設けられてもよい。
【００６５】
コーミング歯１０の歯先１１は、回転軸線４からコーミング半径ＫＲと呼ばれる距離を有する。さらに、歯先１１は、上部ニッパ１２の下端エッジからニッパ距離Ｄだけ離れている。下部ニッパ１３と共に、上部ニッパ１２はコーミングマシンのニッパユニット１４を形成する。このニッパユニット１４は、梳毛される織物繊維の繊維タフト（図示せず）を保持するために使用される。円形コーム２のコーミング領域全体でニッパ距離Ｄをより正確、均一にするほど、歯先１１と上部ニッパ１２の下端部との間の可能距離が小さくなり、その結果、改善されより一定の達成可能なコーミング結果がもたらされる。円形コーム２のコーミング領域はコーミングバー９全体、即ち全体として見てコーミングバー９によって形成される。コーミングバー９の全体は、アクティブコーミング領域を形成するコーミング円周開角セグメントＫＳをカバーし、コーミング円周開角セグメントＫＳは、例えば７８度、９０度、１１１度又は１３７度の値とすることができ、７５度〜１５０度の範囲の他の値にもすることができる。図示の実施例において、５つのコーミングバー９を含んでおり、コーミング円周開角セグメントＫＳは約１１１度の開角範囲をカバーする。ニッパ距離Ｄは、特に０．１５ｍｍ〜０．９ｍｍの範囲内である。図１に示す円形コームユニット１及びそれに組み合わされる円形コーム２は回転軸線４から最大距離を有する総てのコーミングバー９のこれらの歯先１１の少なくとも特に正確で均一で位置的に正確なコーミング半径ＫＲによって区別され、それで円形コームユニット１及び後述する他の円形コームユニットの歯先１１は従来の円形コームユニットにおけるものよりニッパユニット１４に０．２ｍｍまで接近する位置に有利に配置することができる。特に、ニッパ距離Ｄは好ましくはコーミング領域全体において０．２ｍｍ〜０．３ｍｍである。したがって、コーミング領域全体で僅か約０．１ｍｍの非常に低い公差値が有利に達成され、これは従来の円形コームユニットではこれまで不可能であった。
【００６６】
これを達成するために、円形コーム２、特にその円形コーム本体６は特別な態様でデザインされる。円形コーム本体６はセグメントに分割され、本体セグメント１５、１６、１７として構成される複数の構成部品から構成される。図示の実施例において、円形コーム本体６は接線方向に互いに接続される合計５つの本体セグメント、即ち同一のデザインの３つの中央本体セグメント１５と、接線方向端部に配置された２つの本体端部セグメント１６、１７を備え、これらの本体端部セグメント１６、１７にはそれと一体に形成される引張固定突起１６ａ、１７ａがそれぞれ設けられている。コーミングバー９のそれぞれ１つは本体セグメント１５〜１７の各々に固定されている。互いに隣接する２つの本体セグメント１５〜１７の間の直接接線方向接続は各々の場合において接線方向の取り外し可能な確実な接続として構成されている。したがって、本体セグメント１５、１６はそれらの接線方向端部の一方と一体型に形成される接続突起１８を有し、本体セグメント１５、１７は接続突起１８に対応する接続開口１９を有し、接続開口１９は内側に拡開してその他方の接線方向端部と一体に形成されている。接線方向の確実な接続は接続突起１８のアンダーカット２０によって得られ、ここでは接線方向のウェブ端部で蟻継ぎされる軸線方向断面を有するウェブとして構成され、アンダーカット２０はそれぞれの接続開口１９の拡開部分に係合する。接線方向の確実な接続を隣接する本体セグメント１５又は１７と形成するために、本体セグメント１５及び１６の一方の接続突起１８はアンダーカットを備えてそれぞれの本体セグメント１５又は１７の拡開接続開口１９内に軸線方向に挿入される。結果として、特にチェーンリンクの形態で構成される本体セグメント１５〜１７間の接続が得られる。半径方向において、各々の場合において２つの隣接する本体セグメント１５〜１７間の接線方向接続は、例えば約０．２ｍｍまでの半径方向の遊びを有する。これにより、円形コーム２の非装着状態において上記の半径方向の遊び値について本体セグメント１５〜１７の隣接するものの間の半径方向の相対的な移動が可能になる。
【００６７】
円形コーム本体６のセグメント化されたデザインは円形コーム２をシャフト５に非常に精密で半径方向に正確に装着することを保証し、最大コーミング品質を達成することを目的として、特に歯先１１とニッパユニット１４との間のニッパ距離Ｄをデザイン仕様にしたがって非常に正確に設定し、例えばコーミング領域全体において均一なニッパ距離Ｄ及び／又は非常に小さなニッパ距離Ｄとする。
【００６８】
図２は、セグメント化された円形コーム本体２２を有する円形コーム２１の別の実施例の断面図を示す。図は、コーミングバー９が装着されている円形コーム本体２２の中央本体セグメント２３のみを示す。図１に示すセグメント化された円形コーム本体６とは対照的に、円形コーム本体２２の本体セグメント２３には、僅かに異なるデザインを有する接続突起２４及びそれに対応する接続開口２５が設けられている。接続突起２４にはアンダーカット２６も設けられており、接続開口２５は内側に向かって拡開しており、これにより円形コーム本体６の本体セグメントと同一である本体セグメント２３の２つの隣接するものの間の円形コーム本体２２における接線方向の確実な接続が保証される。しかしながら、本体セグメント２３の一方の接線方向端部に形成される接続突起２４は接線方向のウェブ端部で円形の軸線方向断面を有するウェブの形状を有している。
【００６９】
円形コーム本体２２の本体セグメント２３は、それに組み合わされるコーミングバー９に向けて、また固定機構３の装着面２７に向けて、特に複数の単一接触面を有し、上記装着面２７はこの実施例において軸線方向にマルチパートデザインされている。
【００７０】
各々の本体セグメント２３は、特に、その外周側部７に２つの外側接触ストリップ２８及び２９を有し、外側接触ストリップ２８及び２９は軸線方向ｚに延びて、接線方向φに互いに離間している。２つの外側接触ストリップ２８、２９の間には、凹部３０とともに半径方向に突出する固定ラグ３１がある。外側接触ストリップ２８、２９は、それぞれのコーミングバー９が当接するコーミングバー接触面を形成する。固定ラグ３１は、コーミングバー９の対応するバー保持突起３２を取り囲んでいる。
【００７１】
対向する内周側部８上で、本体セグメント２３は接触ストリップ、即ち内側接触ストリップ３３及び３４が設けられている。これらは、回転軸線４の方向に軸線方向に延び、半径方向内側に、即ち特に回転軸線４に向かって突出し、凹部３５によって互いに接線方向に離間されている。内側接触ストリップ３３、３４は内周側部８上の突起によって形成されている。それらは、シャフト５に固定されるように設けられる唯一の本体部分２３の接触面とともに固定機構３の装着面２７である。したがって、内側接触ストリップ３３、３４はシャフト装着接触面である。
【００７２】
固定機構３は中間位置（図１も参照のこと）に配置されているので、内側接触ストリップ３３、３４は、シャフト５への間接的な接続を形成するために使用される。他の実施例において、固定機構３を全く備えていないか又は異なる固定機構を備えている場合、内側接触ストリップ３３、３４はシャフト５と直接接触してシャフト５と直接接続するようにしてもよい。これらの代替的な実施例において、シャフト５の周面は装着面であって円形コーム本体の内周側部８はそれと接触する。
【００７３】
装着された状態において、中空又は中間空間が内側接触ストリップ３３、３４を互いに離隔させる凹部３５により内側接触ストリップ３３、３４の間に形成される。この中間空間は接触しない。この中間空間の領域において、円形コーム本体２２と対向する装着面２７との間には接触がない。
【００７４】
２つの外側接触ストリップ２８、２９の各々は２つの内側接触ストリップ３３、３４のそれぞれの１つに組み合わされている。外側接触ストリップ３８及びそれに組み合わされる内側接触ストリップ３３並びに外側接触ストリップ２９及びそれに組み合わされる内側接触ストリップ３４はそれぞれの一対のストリップ３６及び３７を形成する。一対のストリップ３６の、外側の接触ストリップ２８及びそれに組み合わされる内側接触ストリップ３３は互いに反対に配置される。それらは、それぞれの接線方向延長部において少なくとも相手部分と重なり合っている。同じことはストリップ３７の第２の対の外側接触ストリップ２９及び内側接触ストリップ３４についても適用される。特に、円形コーム本体２２は、ストリップ３６、３７対の領域において、各々の場合に外周側部７及び内周側部８に設けられる接触面間のコーミングバー９に向かって又は装着面２７に向かって半径方向ｒに連続的な構成材接続部又はブリッジを有する。円形コーム本体２２のこれらの外側接触面及び内側接触面間の半径方向の距離ｄ１及びｄ２は極めて正確に設定して製造することができる。これは、図示された実施例のように、円形コーム本体２２が陽極酸化によって硬化され、３１０Ｎ／ｍｍ２までの引張強さを有する押出成形されるアルミニウム形状として構成されている場合にも適用する。したがって、図示されているセグメント化された円形コーム本体２２は低コストで製造可能な構成部品でありながら、互いに反対に配置されるストリップ３６、３７対の外側接触ストリップ２８、２９と内側接触ストリップ３３、３４との間の極めて正確な半径方向距離ｄ１、ｄ２を保証する。図示されている実施例において、距離ｄ１、ｄ２はそれぞれ５ｍｍと１０ｍｍとの間、特に６ｍｍと８ｍｍとの間、好ましくは約７ｍｍの値を有する。
【００７５】
２対のストリップ３６、３７はそれぞれ接線方向バーエッジ３８又は３９の接近して配置される１対のエッジストリップとして構成されている。バーエッジ３８から一対のストリップ３６の接線方向距離φ１と、バーエッジ３９から一対のストリップ３７の接線方向距離φ２は、各々の場合に２対のストリップ３６、３７の間の接線方向距離φ３よりも小さい。
【００７６】
セグメント化された円形コーム本体２２及びそれに当接する構成部品、言い換えれば図２による円形コーム２１の実施例で説明したように、コーミングバー９及びマルチパート装着面２７の間の接触位置は、図１による円形コームユニット１又は円形コーム２において同一又は同様に構成されている。
【００７７】
同様なことは、接線方向クランピングによってシャフト５に固定されるように構成される円形コーム４１を備えるコーミングマシンの円形コームユニット４０の図３に示される追加の実施例にも適用し、上記円形コーム４１はセグメント化された円形コーム本体４２も備えている。上記円形コーム本体４２はコーミングバー９を各々備える６つの本体セグメント４３、４４、４５を有し、４つの中央本体セグメント４３は同一にデザインされ、２つの接線方向本体端部セグメント４４、４５はそれらと一体に形成される引張固定突起４６又は４７を備えている。６つのコーミングバー９を備える円形コーム４１はコーミング円周開角セグメントＫＳが約１３７度の開角範囲をカバーするように構成されている。
【００７８】
本体セグメント４３〜４５の隣接するものは接線方向に確実に互いに直接接続されている。着脱可能であるこの確実な接続はフック状接続突出部４８、４９によって提供され、これらは本体セグメント４３〜４５の接線方向端部に形成される特にアンダーカットが設けられ、隣り合う本体セグメント４３〜４５の接続突起４８、４９は互いに係合している。セグメント化された円形コーム本体６について上述したように本体セグメント４３〜４５の隣接するものの間のラジアル方向の遊びはこれらの確実な接続部においても存在する。
【００７９】
さらに、円形コーム４１は６つのコーミングバー９を本体セグメント４３〜４５に代替固定するものである。この実施例において隣接する構成部品と接触するよう設けられる複数対のストリップ３６、３７の２つの外側接触ストリップ２８及び２９間の凹部３０において、接線方向にそれに反対に配向され、それぞれのコーミングバー９の対応する傾斜するバー保持面５４、５５に当接する２つの突出する固定ラグ５０、５１とともに傾斜するラグ保持面５２、５３があり、したがって、コーミングバー９がそれぞれの本体セグメント４３、４４又は４５に確実に固定されることが保証される。２つの固定ラグ５０、５１はそれらと反対に配向される傾斜するラグ保持面５２、５３と蟻継ぎ固定形状を形成する。
【００８０】
複数対のストリップ３６、３７の内側接触ストリップ３３、３４に加えて、本体セグメント４３〜４５は、各々の場合に、特に外周側部面７から突出する固定ラグ５０、５１の領域において１つの付加的な内側接触ストリップ５６を有する。これらの付加的な内側接触ストリップ５６は任意的なものである。それらは付加的サポート機能を有する。
【００８１】
図４は、コーミングマシンの別の実施例５７を接線方向クランピングによってシャフト５に固定される円形コーム５８とともに示し、上記円形コーム５８はセグメント化された円形コーム本体５９も備えている。上記円形コーム本体５９はコーミングバー９を備える同じデザインの５つの中央本体部６０と、その２つの接線方向端部に２つの本体端部セグメント６１、６２とを有し、これはコーミングバー９を備えておらず、それと一体に形成される引張固定突起６３又は６４を各々有する。本体セグメント６０〜６２の隣接するものは、接線方向に互いに直接的に確実に接続されており、同様の蟻継ぎ固定形状が図１によるセグメント化された円形コーム本体６のように設けられている。
【００８２】
円形コーム２、２１、４１及び５８、特に各々の場合に設けられるセグメント化された円形コーム本体６、２、４２及び５９は、歯先１１を非常に均一に、即ち実質的に均等のコーミング半径ＫＲを有し、非常に正確である。
【００８３】
円形コーム２、２１、４１、５８を接線方向クランピングによるシャフトに固定する幾つかの可能性は、図１、図４及び図５〜図７を参照して以下に説明される。
【００８４】
円形コーム本体６、２２、４２、５９、したがって全体の円形コーム２、２１、４１、５８をシャフト５に固定し、接線方向張力Ｆ１を円形コーム本体６、２２、４２、５９に加えるために、円形コーム本体６、２２、４２、５９には引張固定手段が設けられている。上記引張固定手段は、外側に突出するように外周側部７に設けられる引張固定用突起６５、６６として構成されている。引張固定用突起６５、６６は本体側端部セグメント１６及び１７（図１）、４４及び４５（図３）及び６１及び６２（図４）の引張取付けエレメント１６ａ、１７ａ（図１）、４６、４７（図３）、６３、６４（図４）上に各々配置されており、特にそれらと一体的に形成されている。
【００８５】
さらに、固定機構３はシャフトを固定し張力を加えるために設けられている。上記固定機構３は複数の構成部品を含み、これらの構成部品の総ては図面に示されているものではない。特に、固定機構３は互いに軸線方向に配置される保持プレートとして構成される複数の保持体６７を有し、その狭い側部は円筒状セグメントの形状を有する。全ての保持体６７のこれらの狭隘側部が一緒になってマルチパート装着面２７を形成し、円形コーム本体６、２２、４２及び５９は上述したように、即ち特にそれらの内側接触ストリップ３３、３４と接触している。図示された実施例において、板状保持体６７は射出成形又はダイカストアルミニウム部品として構成され、その結果、重量が軽くなる。装着面２７を形成する保持体６７の円柱セグメント状狭隘側部は精密に、寸法的に正確に製造される。
【００８６】
さらに、固定機構３は２つの保持ブラケット６８及び７０を含んでいる。両方の保持ブラケット６８、６９はそれらの上端部でフックの形状に構成され、それぞれブラケットラグ７０又は７１はそれぞれの引張固定突起６５又は６６にそれぞれ係合するように形成されている。任意選択として、ブラケットラグ７０又は７１はそれぞれ引張固定突起６５又は６６にそれぞれ設けられ得るアンダーカットに係合することができる。引張固定突起６５〜６６は任意選択として傾斜する係合カウンタ面を備えてもよく、組み合わされるブラケットラグ７０又は７１はそれぞれそれに対応する傾斜する係合カウンタ面、係合面及び互いに当接する係合カウンタ面を備えている。保持ブラケットねじ６８及び６９の位置はブラケットねじ７２及び７３によって変更することができる。固定機構３の構成部品であるブラケットねじ７２及び７３の正確な位置、装着及び数はコーミングマシンの用途及び種類によって異なる。
【００８７】
固定機構３の別の構成部品は、特にシャフト５に設けられたカウンタウェイト７４である。上記カウンタウェイトはクランピング及び／又はねじ結合によってシャフト５に固定される。図示されていない別の実施例において、カウンタウェイトは固定機構３の一部を形成しないように構成してもよいが、それとは独立して設けてもよい。
【００８８】
既に述べたように、保持ブラケット６８、６９の位置、特にブラケットラグ７０、７１の位置は、特に所望の接線方向張力Ｆ１が円形コーム本体６、２２、４２、５９のそれぞれの１つに加えられるように変更することができる。ブラケットねじ７２、７３により、ブラケットラグ７０、７１によってそれぞれ引張固定突起６５、６６に加えられる力は、好ましくは連続的に調整し、必要条件に準拠するように設定できる。そのように行なうとき、調整可能な接線方向引張力Ｆ１はそれぞれその本体セグメント１５〜１７、２３、４３〜４５及び６０〜６２を備える円形コーム本体６、２２、４２及び５９のそれぞれ１つに加えられる。この形態において円形コーム本体６、２２、４２、５９のそれぞれ１つに作用する接線方向引張力Ｆ１は、それと反対方向に配向されるカウンタ保持力Ｆ２によって対抗され、これは絶対値が同じであり、保持ブラケット６８、６９の装着（図示せず）によって加えられる。一方では、保持ブラケット６８、６９及びそれらによって加えられる接線方向張力Ｆ１によって、円形コーム本体６、２２、４２及び５９のそれぞれ一方がシャフト５に確実に固定される。他方では、円形コーム本体６、２２、４２及び５９のセグメント化されたデザインと関連して得られる接線方向の張力Ｆ１は、本体セグメント１５、１７、２３、４３〜４５及び６０〜６２の各々がそれぞれの本体セグメント１５〜１７、２３、４３〜４５又は６０〜６２の位置でのみ特に実行される状態にしたがうよう個別的形態でそれぞれ装着面２７に密着して嵌合するのをもたらす。本体セグメント１５〜１７、２３、４３〜４５、６０〜６２の隣接する１つの間の小さな偏差は、それぞれ、本体セグメント１５〜１７、２３、４３〜４５及び６０〜６２の隣接するものの間の接線方向の確実な接続の半径方向の遊びによって補償される。
【００８９】
さらに、各々の円周位置及び接線方向連結に因り本体セグメント１５〜１７、２３、４３〜４５及び６０〜６２の各々に作用する接線方向引張力Ｆ１は円形コーム本体６、２２、４２及び５９のそれぞれ１つを接線方向φに（僅かに）延長することができ、これは本体セグメント１５〜１７、２３、４３〜４５及び６０〜６２の各々において、円環状のコーム型メイン本体取付部とのする好ましくは付加的に特に本体セグメント１５〜１７、２３、４３〜４５又は６０〜６２の製造工程で発生した僅かな反り又は捩れ又は直径公差が補償されることに因り本体セグメント１５〜１７、２３、４３〜４５及び６０〜６２と装着面２７の間で緊密な接触を促進する。この補償は、図１〜図４に示す実施例の内周側部８に配置される内側接触ストリップ３３、３４に因り、本体セグメント１５〜１７、２３、４３〜４５又は６０〜６２が好ましくは装着面２７と完全に対面接触していないが、それらとの単一接触のみである場合に特に有効である。
【００９０】
さらに、本体セグメント１５〜１７、２３、４３〜４５、６０の各々を通過し半径方向ｒで外周側部７に設けられる接触面に向かう構成材接続部又はブリッジがそれぞれのコーミングバー９と接触するために装着面２７に当接する内側接触ストリップ３３、３４の領域、言い換えれば複数対のストリップ３６、３７の領域に丁度設けられている。これにより、各々のコームバー９、したがって総ての歯先１１の（半径方向）位置が特に高い引張荷重にさらされる場合にも正確に形成される。
【００９１】
上述したこれらの有利な手段（即ち、特に、円形コーム本体６、２２、４２及び５９のセグメント化されたデザイン、好ましくは接線方向引張力の適用、円形コーム本体６、２２、４２及び５９の装着面２７との単一接触面、外周側部７上及び内周側部８上における接触面間で本体セグメント１５〜１７、２３、４３〜４５、６０の各々を通って半径方向に通過する２つの構成材ブリッジ）は、歯先１１が実際の実装後、即ちそれらをシャフト５に装着した後にデザイン書面に規定されているような理論的仕様に準拠する非常に高い位置精度を有することを保証する点で重要な役割を果たす。
【００９２】
円形コーム本体６、２２、４２、５９のそれぞれ１つと装着面２７との密接な接触に関して、引張荷重又は張力Ｆ１は有利には円形コーム本体６、２２、４２、５９のそれぞれ１つを内径方向内側に作用する接触力をもたらし、それぞれ固定ラグ３１、５０、５１を内側に引張って、それぞれのコイニングバー９の対応するバー保持突起３２又は対応するバー保持面５４、５５に対して押圧されるようになる。バー保持突起３２及びバー保持面５４、５５にそれぞれ固定ラグ３１及び５０、５１によって加えられる力は好ましくは十分に大きく、補強バー９を円形コーム本体６、２２、４２、５９のそれぞれ１つに固定する固定ストリップ及び／又はねじ等の他の別個の固定手段を省略することができるということを確実にする。これにより、装着及びコスト上の利点をもたらす。また、この局面はそれ自身別個の発明を表す。
【００９３】
他の実施例は対応する接線方向の引張荷重を円形コーム本体に加えることを可能にし、これは図５〜図７に図示されている。
【００９４】
図５において、円形コームユニット７５の断面図が示されており、これは円形コーム７６をセグメント化された円形コーム本体７７とともに含んでいる。この図は円形コーム７６の１つの接線方向端部の領域のみを示し、円形コーム７６にはセグメント化された円形コーム本体７７を接線方向クランピングによってシャフトに固定するための引張固定手段が設けられている。これらの引張固定手段は円形コーム２、２１、４１及び５８の引張固定手段とは異なるデザインを有する。
【００９５】
引張ベアリング８０は、円形コーム本体７７又はその本体端部セグメント７９の図５に示す接線方向本体エッジ７８に配置される。少なくとも１つの本体ねじ穴８１が設けられ、これは上記接線方向本体エッジ７８における半径方向境界面から本体端部セグメント７９の構成材内にブラインドホールの形態で延在している。この少なくとも１つの本体ねじ孔８１は円形コーム本体７７の引張固定手段である。この実施例において、固定機構３ａの対応する引張固定カウンタ手段は、引張ねじ固定ブロック８２及び引張ねじ固定ブロック８２に設けられる通路孔８３に挿入される少なくとも１つの引張固定ネジ８４として構成されている。引張ねじ固定ブロック８２はコーミング領域の外側で保持体６７の装着面２７から半径方向外側に延在している。それは適切な形態で保持体６７に装着される。
【００９６】
円形コーム本体７７は、引張固定ねじ８４を本体ねじ孔８１に多少なりにねじ止めすることによって、所望の接線方向引張荷重又は引張力Ｆ１に曝されることができる。
【００９７】
図６において、他の円形コームユニット８５の断面図が示されており、これは円形コーム８６をセグメント化された円形コーム本体８７とともに含んでいる。ここでも、この図は、円形コーム８６の１つの接線方向端部を囲む領域のみを示し、円形コーム８６は接線方向クランピングによって円形コーム本体８７をシャフト５に固定する引張固定手段を備えている。
【００９８】
ここで、円形コーム本体８７をシャフト５に固定するために設けられた固定機構３ｂは、引張固定ねじ８９がねじ込まれることを可能にするように、軸線方向に互いに重なり合うように配置される複数のねじ孔８８を受け入れるのに十分な軸線方向厚さを有する保持体６７を有し、引張固定ねじ８９は各々円錐頭部９０を有する。
【００９９】
円形コーム本体８７の本体端部セグメント９１において、接線方向本体エッジ７８の領域に貫通孔９２が設けられ、これは外周側部７に向かって円錐状に拡開し、少なくともこの外側の領域において円錐状座の形態を有する。いずれにせよ、円形コーム本体８７は通路孔９２に挿入され組立てされた最終状態においてねじ孔８８にねじ込まれる引張固定ねじ８９によって保持体６７の装着面２７に部分的に固定される。
【０１００】
円形コーム本体８７を例えば円形コーム本体８７の他の接線方向端部で保持体６７に固定する図６には示していない代替的（部分的）固定において、引張固定ねじ８９はねじ込まれておらず、ネジ穴８８の軸線はそれに組み合わされるそれぞれの通路穴９２の軸線とは一致しておらず、むしろ小さい接線方向のずれがある。各々のねじ穴８８の軸線はこのねじ穴８８に対応する通路穴９２の軸線よりもコーミング領域から僅かに大きい接線方向距離に配置されている。完全に装着された状態において引張固定ねじ８９はねじ込まれており、この接線方向オフセットはもはや存在しない。引張力によって生ずる円形コーム本体８７の僅かな接線方向の伸びに因り、ねじ穴８８の軸線はそれに組み合わされるそれぞれの通路穴９２の軸線と実質的に一致する。
【０１０１】
組み立てられた最終状態において、引張固定ねじ８９の円錐頭部９０は通路孔９２の円錐部分に配置される。引張固定ねじ８９がねじ穴８８にねじ込まれると、通路孔９２の円錐台座における引張固定ねじ８９の円錐頭部９０の位置が深くなり、円形コーム本体部８７に加えられる接線方向引張荷重又は引張力Ｆ１が大きくなり、上記のように前者を接線方向に延長する。
【０１０２】
言い換えれば、通路孔９２の円錐領域の内周面は各々半径方向ｒ及び接線方向φに対して開角をなして延在する固定接触面を形成する。したがって、引張固定ねじ８９の円錐頭部９０の外周面は径方向ｒ及び接線方向φに対して開角をなして延在する固定カウンタ接触面である。したがって、これらの面は、引張固定手段及び引張固定カウンタ手段として働き、接線方向引張力Ｆ１を円形コーム本体８７に加える。
【０１０３】
図７において、別の円形コームユニット９３の断面図が示されており、これは円形コーム９４をセグメント化された円形コーム本体９５とともに含んでいる。再び、この図は接線方向クランピングによって円形コーム本体９５をシャフト５に固定するため円形コーム９４の一方の接線方向端部の周りの領域のみを示している。
【０１０４】
偏心機構が円形コーム本体９５の接線方向本体エッジ７８に設けられ、引張力を加えることによって前者を固定する。偏心機構は固定機構３ｃの一部である。複数の受けラグ９７はそれらと一体成形される形態で円形コーム本体９５又はその本体端部セグメント９６の本体エッジ７８上に互いに軸線方向に配置される。したがって、組み立てられた状態で本体エッジ７８に対面する保持ブラケット９９の偏心端部９８は、一体に形成される形態で保持ブラケット９９上に互いに軸線方向に配置され複数の受けカウンタラグ１００を有する。装着された状態において、受けラグ９７と受けカウンタラグ１００は互いに噛合するように配置される。本体端部セグメント９６の受けラグ９７と偏心端部９８の受けカウンタラグ１００とは軸線方向に交互に配置されている。
【０１０５】
受けラグ９７の各々はラグ貫通開口部１０１を有し、一方、受けカウンタラグ１００は各々カウンタラグ貫通開口部１０２を有する。装着された状態において、ラグ貫通開口部１０１及びカウンタラグ貫通開口部１０２は少なくとも部分的に重複している。組み立て中、偏心クランピングロッド１０３は、クランピング作用を与えないその横方向位置において、ラグ貫通開口部１０１及びカウンタラグ貫通開口部１０２を通過する。偏心クランピングロッド１０３は、その長手方向軸線の周りに回転させることによってクランピング作用を付与するその垂直位置に移動され、円形コーム本体９５及び保持ブラケット９９を互いに向かって移動又は引き寄せるようにし、かくしてラグ貫通開口部１０１及びカウンタラグ貫通開口部１０２の重複度が増加する。そのように実行するとき、円形コーム本体９５は接線方向の張力Ｆ１に曝されるが、これは実際にはこの実施例において非常に高い。したがって、円形コーム本体９５の受けラグ９７は引張固定手段としても機能し、シャフト５に装着されるとき接線方向引張力Ｆ１を円形コーム本体９５に加えるように構成されている。上記引張固定手段と相互作用する対応する引張固定カウンタ手段は同じ目的を達成するために設けられている。上記引張固定カウンタ手段は特に受けカウンタラグ１００及び偏心クランピングロッド１０３からなる偏心端部９８として構成され、その長手方向軸線の周りに取り外し可能、回転可能に挿入されている。
【０１０６】
円形コーム９４を取り外すために、偏心クランピングロッド１０３は最初にクランピング作用を与えない横方向位置に回転し戻されて、その結果円形コーム本体９５はもはや引張荷重にさらされない。次いで、偏心クランピングロッド１０３はラグ貫通開口部１０１及びカウンタラグ貫通開口部１０２から容易に取り外すことができる。他のすべての固定手段を緩め及び／又は取り外した後、保持ブラケット９９及び円形コーム９４を再び移動させることができる。
【０１０７】
接線方向クランピングによって円形コーム又はその円形コーム本体をシャフト５に固定する他の実施例も一般的に考えられる。特に、上述した固定代替例の組み合わせを提供することが可能である。
【０１０８】
図８には、コーミングマシンの円形コームユニット１０４を接線方向クランピングによってシャフト５に固定される円形コーム１０５とともに説明する別の実施例が示されている。円形コームユニット１０４は、図４による円形コームユニット５７と同様の設計を有する。本質的に異なるのはワッシャー１０６が設けられていることであり、これはセグメント化された円形コーム本体５９の内周側部８と保持体６７の装着面２７との間に緩く挿入されニッパ距離Ｄを調節する。このワッシャー１０６は、特に所望のニッパ距離Ｄに応じて選択可能な板厚を有するシートメタルプレートとして構成され、円形コーム１０５の一部である。図示の実施例において、ワッシャー１０６は板厚、換言すれば約１ｍｍのワッシャー厚さを有する。シートメタルプレートは可撓性で折曲げ可能であり、（マルチパート）装着面２７の円筒セグメント形状の輪郭に適合することを可能にする。ワッシャー１０６は、少なくともコーミング領域全体にわたって、したがって円形コーム本体５９の総ての中央本体セグメント６０によってカバーされる接線方向及び軸線方向領域にわたって延在する。図８に示す実施例において、ワッシャー１０６は本体端部セグメント６１、６２によってカバーされる接線方向及び軸線方向領域にわたっても延在している。円形コーム本体５９のセグメント化されたデザインに因り、ワッシャー１０６は特に本体セグメント６０〜６２及びそれらのベース間で接触精度を損なうことなく容易に挿入することができ、これはこの実施例において装着面２７に当接するワッシャーである。ワッシャー１０６を挿入することによって生じる本体セグメント６０〜６２にとって接触面の外径の増大は本体セグメント６０〜６２の隣接するものの間の接続によって補償され、これは接線方向、特に半径方向の遊びを有する。装着された状態において、本体セグメント６０〜６２はワッシャー１０６に密着して嵌合する。
【０１０９】
同様のことは、コーミングマシンの円形コームユニット１０７が接線方向クランピングによってシャフト５に固定される円形コーム１０８とともに図９に示す追加の実施例にも当てはまる。ここで、ニッパ距離Ｄを調整するために、板厚の異なる複数のワッシャー１０９、１１０、１１１はセグメント化された円形コーム本体５９の内周側部８と装着面２７との間に互いに接線方向に配置される形態で緩く挿入される。ワッシャー１０９は例えば約１ｍｍの板厚を有し、ワッシャー１１０は例えば約０．６ｍｍの板厚を有し、ワッシャー１１１は例えば約０．３ｍｍの板厚を有する。異なる板厚を選択することにより、結果としてニッパ距離Ｄを必要条件に極めて正確に適合させることができる。
【０１１０】
均一なニッパ距離Ｄをコーミング領域全体に亘って設定することが可能であり、別法として、コーミング領域に特定の輪郭を有し、特に接線方向に変動するニッパ距離Ｄを設定することも可能である。その中に挿入されるワッシャー１０９〜１１１は本体セグメント６０−６２全体、即ち特に内側接触ストリップ３３、３４両方をカバーすることができ（例えば、シャフト５又は円形コーム１０８の回転方向ＤＲの方向で見たとき本体端部セグメント６２及びこれに隣接する第１の中央本体セグメント６０及び第４の中央本体セグメント６０を参照）、又は部分的にのみ、即ち特に２つの内側接触ストリップ３３、３４の一方のみ（例えば回転方向ＤＲで見たとき第２、第３及び第５の本体セグメント６０を参照）をカバーすることができる。本体セグメント６０〜６２の幾つかの下のワッシャー１０９〜１１１を全く設けないことも可能である（例えば、本体端部セグメント６１を参照）。円形コーム本体５９のセグメント化されたデザインに因り、個別の本体セグメント６０〜６２は、それらの下側のカウンタ対応物と接触するとき、非常に柔軟かつ個別にそれぞれのワッシャー配置に適合することができる。ここで、ワッシャー１０９〜１１１はこの場合も同様に円形コーム１０８の一部である。
【０１１１】
図示されていない別の実施例によれば、複数のワッシャーが半径方向に上下に積み重ねることも考えられる。
【０１１２】
緩く挿入されたワッシャー１０６及び１０９〜１１１の代わりに、異なる構成が内周側部８に固定されたワッシャーエレメントとすることでも考えられる。対応する実施例は図１０に図示されている。この図はセグメント化された円形コーム本体１１３の本体セグメント１１２とともに内側円周側部８上に設けられるワッシャーエレメント１１４を示す。上記ワッシャーエレメント１１４は別にして、円形コーム本体１１３は図２による円形コーム本体２２に本質的に対応している。本体セグメント１１２はワッシャーエレメント１１４を固定する固定手段としての役割を果たす傾斜接触面１１５、１１６を有し、上記傾斜接触面１１６は本体セグメント１２の内周側部８に形成される固定スロット１１７の内壁によって形成される。ワッシャーエレメント１１４は組み立てられた状態で接触面１１５、１１６に当接する上方に突出するブラケットエレメント１１８、１１９を有し、それでワッシャーエレメント１１４は特にクリップ状形態で本体セグメント１１２に固定される。上記固定は特に着脱自在に構成されている。ワッシャーエレメントを本体セグメントの内周側部８に取り外し可能に装着する他の構成を提供することも一般に考えられる。
【図１】
2018536778.tif 000003
【図２】
2018536778.tif 000004
【図３】
2018536778.tif 000005
【図４】
2018536778.tif 000006
【図５】
2018536778.tif 000007
【図６】
2018536778.tif 000008
【図７】
2018536778.tif 000009
【図８】
2018536778.tif 000010
【図９】
2018536778.tif 000011
【図１０】
2018536778.tif 000012
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
織物繊維を梳毛するためのコーミングマシンのための円形コームであって、前記円形コームは前記コーミングマシンのシャフト（５）に装着され、前記シャフトは回転軸線（４）の周りに回転可能であり、
ａ）円形コーム本体（６、２２、４２、５９、７７、８７、９５、１１３）とともに外周側部（７）を備え、
ｂ）円形コーム本体（６、２２、４２、５９、７７、８７、９５、１１３）の外周側部（７）に配置された複数のコーミングバー（９）を、全体的に見て、コーミング円周開角セグメント（ＫＳ）をカバーし、円形コーム（２、２１、４１、５８、７６、８６、９４、１０５、１０８）のコーミング領域を形成するように備え、
ｃ）円形コーム本体（６、２２、４２、５９、７７、８７、９５、１１３）はマルチパートデザインで互いに接線方向に直接接続される複数の本体セグメント（１５−１７、２３、４３−４５、６０−６２、７９、９１、９６、１１２）を有し、各々のコーミングバー（９）は本体セグメント（１５−１７、２３、４３−４５、６０−６２、７９、９１、９６、１１２）のそれぞれ１つに組み合わされ、各々のコーミングバー（９）はこれに組み合わされる本体セグメント（１５−１７、２３、４３−４５、６０−６２、７９、９１、９６、１１２）に装着され、
ｄ）前記円形コーム本体（６、４２、５９、７７、８７、９５）はシャフト（５）に固定するのを可能にする引張固定手段（１６ａ、１７ａ、６５、６６、４６、４７、６５、６６、６３−６６、８１、９２、９７）を備え、これらの引張固定手段（１６ａ、１７ａ、６５、６６、４６、４７、６５、６６、６３−６６、８１、９２、９７）はシャフト（５）に固定されるとき接線方向引張力（Ｆ１）を円形コーム本体（６、４２、５９、７７、８７、９５）に加えるように構成されることを特徴とする円形コーム。
【請求項２】
前記本体セグメント（１５−１７、２３、４３−４５、６０−６２、７９、９１、９６、１１２）は互いに取り外し可能に接続されていることを特徴とする請求項１記載の円形コーム。
【請求項３】
前記本体セグメント（１５−１７、２３、４３−４５、６０−６２、７９、９１、９６、１１２）は、互いに接線方向に確実に接続されていることを特徴とする請求項１又は請求項２記載の円形コーム。
【請求項４】
接線方向接続を可能にするために、本体セグメント（１５、２３、６０、１１２）の少なくとも幾つかは第１の接線方向端部において接続突起（１８、２４）及び第２の接線方向端部において接続開口（１９、２５）を備え、前記接続突起（１８、２４）及び前記接続開口（１９、２５）は互いに対応しており、前記接続突起（１８、２４）は接線方向力伝達のためのアンダーカット（２０、２６）を有することを特徴とする請求項１乃至請求項３何れか１項記載の円形コーム。
【請求項５】
非装着状態において、２つの隣接する本体セグメント（１５−１７、２３、４３−４５、６０−６２、７９、９１、９６、１１２）の間の接線方向接続は互いに半径方向で０．３ｍｍ、特に０．１ｍｍまでの隣接する本体セグメント（１５−１７、２３、４３−４５、６０−６２、７９、９１、９６、１１２）の相対的移動を可能にすることを特徴とする請求項１乃至請求項４何れか１項記載の円形コーム。
【請求項６】
前記コーミングバー（９）が装着される総ての本体セグメント（６０）は同一のデザインであることを特徴とする請求項１乃至請求項５何れか１項記載の円形コーム。
【請求項７】
前記円形コーム本体（５９）はその２つの接線方向端部の各々にそれぞれの本体端部セグメント（６１、６２）を有し、この本体端部セグメントはコーミングバー（９）を備えておらずに前記円形コーム本体（５９）をシャフト（５）に固定する固定手段（６３〜６６）を備えていることを特徴とする請求項１乃至請求項６何れか１項記載の円形コーム。
【請求項８】
前記円形コーム本体（６、４２、７７、８７、９５）は、コーミングバー（９）が装着され円形コーム本体（６、４２、７７、８７、９５）をシャフト（５）に固定する固定手段（１６ａ、１７ａ、６５、６６、４６、４７、６５、６６、６３−６６、８１、９２、９７）を備えるその接線方向端部の各々でそれぞれの本体端部セグメント（１６、１７、４４、４５、７９、９１、９６）を有することを特徴とする請求項１乃至請求項５何れか１項記載の円形コーム。
【請求項９】
前記本体セグメント（６０〜６２、１１２）の少なくとも幾つかはスペーサ（１０６、１０９〜１１１、１１４）を備えて半径方向の可変距離でシャフト（５）に固定されるのを可能にすることを特徴とする請求項１乃至請求項８何れか１項記載の円形コーム。
【請求項１０】
前記円形コーム本体（５９）は内周側部（８）を有し、前記スペーサは前記内周側部（８）に確実に装着され又は緩く当接する少なくとも１つのワッシャー（１０６、１０９−１１１）として構成されていることを特徴とする請求項９記載の円形コーム。
【請求項１１】
互いに接線方向及び／又は半径方向に配置される複数のワッシャー（１０９〜１１１）は内周側部（８）に当接するように設けられることを特徴とする請求項１０記載の円形コーム。
【請求項１２】
前記ワッシャー（１０９〜１１１）の少なくとも幾つかは異なるワッシャー厚さを有することを特徴とする請求項１１記載の円形コーム。
【請求項１３】
前記円形コーム本体（１１３）は内周側部（８）を有し、前記本体セグメント（１１２）の少なくとも幾つかは内周側部（８）に固定手段（１１５、１１６、１１７）を備えてワッシャーエレメント（１１４）を固定するのを可能にすることを特徴とする請求項１乃至請求項１２何れか１項記載の円形コーム。
【請求項１４】
前記本体セグメント（１５〜１７、２３、４３〜４５、６０〜６２、７９、９１、９６、１１２）は、特に３００Ｎ／ｍｍ２までの引張強さを有するアルミニウムで作成されることを特徴とする請求項１乃至請求項１３何れか１項記載の円形コーム。
【請求項１５】
前記円形コーム本体（６、４２、５９）は内周側部（８）を有し、前記引張固定手段の少なくとも幾つかは外周側部（７）から外側に又は内周側部（８）から内側に突出する少なくとも１つの引張固定突起部（６５、６６）として構成され、特に２つの引張固定突起（６５、６６）は好ましくはそのそれぞれの１つが前記円形コーム本体（６、４２、５９）の２つの接線方向端部の１つに配置されて備えられることを特徴とする請求項１５記載の円形コーム。
【国際調査報告】
2018536778.tif 000013
2018536778.tif 000014
2018536778.tif 000015
2018536778.tif 000016